(57)【要約】  センタースピーカが再現する音が聞こえてくる方向と映像が表示される位置の方向とを一致させる。  映像表示装置１に向かい合わせに配置され、前方からの音を再現するセンタースピーカ２を含むマルチチャンネルスピーカシステムの各スピーカ２〜５が組み込まれた椅子であって、センタースピーカ２は前方に設置された第１の反射体６に音を反射させて前方に仮想音源２８を作り出すものである。
2009113319.tif 000002
【特許請求の範囲】
【請求項１】
映像表示装置に向かい合わせに配置され、前方からの音を再現するセンタースピーカを含むマルチチャンネルスピーカシステムの各スピーカが組み込まれた椅子であって、前記センタースピーカは前方に設置された第１の反射体に音を反射させて前方に仮想音源を作り出すものであることを特徴とするスピーカ組み込み椅子。
【請求項２】
前記第１の反射体は、映像表示装置の表示面であることを特徴とする請求項１記載のスピーカ組み込み椅子。
【請求項３】
前記センタースピーカの向きを可変にする向き調節装置と、前記センタースピーカが音を出す方向に照準光線を照射する光学式照準器を備えることを特徴とする請求項１記載のスピーカ組み込み椅子。
【請求項４】
前記センタースピーカ以外のスピーカのうち、少なくとも１つのスピーカを着座者に向かう方向とは異なる方向に向けて組み込むと共に、当該スピーカから出た音を着座者に向けて反射させる第２の反射体を備えることを特徴とする請求項１記載のスピーカ組み込み椅子。
【請求項５】
幅方向中央部に正面に向けて前記センタースピーカを設置したことを特徴とする請求項１記載のスピーカ組み込み椅子。
【請求項６】
左右両側部に正面に向けて左右のフロントスピーカを設置したことを特徴とする請求項５記載のスピーカ組み込み椅子。
【請求項７】
前記第２の反射体の反射面には、不規則な形状の凹凸が連続形成された拡散面が設けられていることを特徴とする請求項４記載のスピーカ組み込み椅子。
【請求項８】
サブウーハを備えており、前記サブウーハの振動板の裏の空間に通じ且つ着座者に向けて開口する開口部を備えることを特徴とする請求項１記載のスピーカ組み込み椅子。
【請求項９】
前記スピーカシステムの全てのスピーカを脚部に設けたことを特徴とする請求項１記載のスピーカ組み込み椅子。
【請求項１０】
前記脚部は椅子本体と別体に設けられたスピーカボックスであることを特徴とする請求項９記載のスピーカ組み込み椅子。
【請求項１１】
前記スピーカボックスは左右一対のスピーカボックスであることを特徴とする請求項１０記載のスピーカ組み込み椅子。
【発明の詳細な説明】
【技術分野】
【０００１】
本発明は、スピーカ組み込み椅子に関する。さらに詳述すると、本発明は、マルチチャンネルスピーカシステムを構成する各スピーカが組み込まれ、前方の映像表示装置の表示面に表示された映像に合わせた音響を再現するスピーカ組み込み椅子に関するものである。
【背景技術】
【０００２】
例えば、特開平１０−２８５６７８号、特開平５−１３７６３０号には、スピーカを組み込んだ椅子が種々提案されている。椅子にスピーカを組み込むことで、部屋の片隅に別個にスピーカを置く煩わしさを解消することができると共に、聴く場所によってスピーカとの位置関係が変化するという不都合を解消することができ、視聴者は常に良好な状態で音を楽しむことができる。
【特許文献１】特開平１０−２８５６７８号公報
【特許文献２】特開平５−１３７６３０号公報
【発明の開示】
【発明が解決しようとする課題】
【０００３】
しかしながら、スピーカを椅子に組み込んだ場合、椅子に座って音を聴く者にとって体の近くから音がすることになる。例えば、５．１チャンネルサラウンドシステムでは、映像の登場人物の台詞等、前方からの音をセンタースピーカが再現するが、センタースピーカを椅子に組み込むことで映像の登場人物の台詞が自分の体の近くから聞こえることになり、視聴者に違和感を生じさせてしまう。【０００４】
本発明は、前方からの音を再現するセンタースピーカを組み込んでも視聴者に違和感を生じさせることがないスピーカ組み込み椅子を提供することを目的とする。
【課題を解決するための手段】
【０００５】
かかる目的を達成するために、請求項１記載の発明は、映像表示装置に向かい合わせに配置され、前方からの音を再現するセンタースピーカを含むマルチチャンネルスピーカシステムの各スピーカが組み込まれた椅子であって、センタースピーカは前方に設置された第１の反射体に音を反射させて前方に仮想音源を作り出すものである。【０００６】
したがって、センタースピーカは前方に向けて音を出す。センタースピーカから出た音は第１の反射体で反射し、椅子に座っている視聴者に向けて戻ってくる。視聴者は、反射してきた音を聴いて前方に音源があると錯覚する。即ち、センタースピーカが再現する音の仮想音源が前方に作られる。【０００７】
また、請求項２記載のスピーカ組み込み椅子は、第１の反射体を映像表示装置の表示面として音を反射させるようにしている。【０００８】
また、請求項３記載のスピーカ組み込み椅子は、センタースピーカの向きを可変にする向き調節装置と、センタースピーカが音を出す方向に照準光線を照射する光学式照準器を備えるものである。【０００９】
さらに、請求項４記載のスピーカ組み込み椅子は、センタースピーカ以外のスピーカのうち、少なくとも１つのスピーカを着座者に向かう方向とは異なる方向に向けて組み込むと共に、当該スピーカから出た音を着座者に向けて反射させる第２の反射体を備えるものである。【００１０】
例えば５．１チャンネルサラウンドのサラウンドスピーカを例に説明すると、サラウンドスピーカから出た音は第２の反射体で反射し、着座者である視聴者に向けて戻ってくる。反射してきた音を聴いた視聴者は実際にサラウンドスピーカが組み込まれている位置よりも遠くに音源があると錯覚する。即ち、サラウンドスピーカによって再現される音の仮想音源が遠くに作られる。【００１１】
また、請求項５記載のスピーカ組み込み椅子は、幅方向中央部に正面に向けてセンタースピーカを設置したものである。したがって、第１の反射体がスピーカ組み込み椅子の正面に設置されている場合には、センタースピーカの音は第１の反射体に向けて発せられ、第１の反射体で反射されて椅子に座っている視聴者に向けて真っ直ぐに戻ってくる。【００１２】
また、請求項６記載のスピーカ組み込み椅子は、左右両側部に正面に向けて左右のフロントスピーカを設置したものである。したがって、センタースピーカの音に加え、左右のフロントスピーカの音も第１の反射体に向けて発せられ、第１の反射体で反射されて椅子に座っている視聴者に向けて真っ直ぐに戻ってくる。【００１３】
また、請求項７記載のスピーカ組み込み椅子は、第２の反射体の反射面に、不規則な形状の凹凸が連続形成された拡散面を設けている。したがって、第２の反射体で反射される音は拡散面によって乱反射され、反射音が特定の場所に集中するのを抑制できる。【００１４】
また、請求項８記載のスピーカ組み込み椅子は、サブウーハを備えており、サブウーハの振動板の裏の空間に通じ且つ着座者に向けて開口する開口部を備えるものである。したがって、サブウーハの振動板の振動によって当該振動板の裏の空間の空気が振動すると、開口部を通じた空気の流れが形成され、開口部から着座者に向かう風が発生する。【００１５】
また、請求項９記載のスピーカ組み込み椅子は、スピーカシステムの全てのスピーカを脚部に設けたものである。ここで、請求項１０記載のスピーカ組み込み椅子のように、脚部を椅子本体と別体に設けられたスピーカボックスとしても良い。また、脚部をスピーカボックスとした場合には、単一のスピーカボックスでも良いし、請求項１１記載のスピーカ組み込み椅子のように、スピーカボックスを左右一対のスピーカボックスとしても良い。
【発明の効果】
【００１６】
請求項１記載のスピーカ組み込み椅子では、センタースピーカが再現する音の仮想音源を前方に作ることができるので、例えば映像の登場人物が話す台詞が映像表示装置の方向から聞えるようになる。そのため、映像と異なる方向からセンタースピーカの音が聞こえてくることに起因した違和感の発生を防止することができる。また、違和感の発生を防止できるのでセンタースピーカを椅子に組み込むことが可能になり、マルチチャンネルスピーカシステムのスピーカについて所謂オールインワンの椅子を提供することができる。即ち、マルチチャンネルスピーカシステムの全スピーカの椅子への組み込みと、センタースピーカが再現する音の自然な聞こえ方とを両立することができる。特にマルチチャンネルスピーカシステムではスピーカの数が多いので、スピーカを別個に設けると配線や施工が煩わしくなるが、オールインワン方式にすることで配線や施工の煩わしさを解消することができると共に、引っ越しやレイアウト変更等による場所移動を容易にすることができ、さらに使い勝手を向上させることができる。そして、椅子に全てのスピーカを組み込むことで、椅子を包み込む音場を作ることができ、部屋全体に響くような大きな音を出さなくても個人的に迫力のあるサウンドを楽しむことができる。即ち、小さな音量で手軽に臨場感を得ることができる。その一方、室内外の他人に騒音で迷惑をできるだけ掛けないようにすることができる。さらに、部屋の中に配線をはわせたりスピーカを別個に置く必要がないので、室内をすっきりさせることができる。【００１７】
また、請求項２記載のスピーカ組み込み椅子では、映像表示装置の表示面を利用してセンタースピーカが再現する音を反射させることができるので、映像表示装置の表示面の方向に仮想音源を作り出すことができ、映像とその映像のセンタースピーカから出される音が聞こえてくる方向を一致させることができる。また、専用の反射体をわざわざ別に準備する必要がなく、経済的である。【００１８】
また、請求項３記載のスピーカ組み込み椅子では、センタースピーカの向きを視覚的に確認しながらセンタースピーカの向きを調節することができるので、センタースピーカの向き合わせが容易である。【００１９】
椅子にスピーカを組み込んだ場合、スピーカの組み込み位置は着座者に近い位置になってしまう。請求項４記載のスピーカ組み込み椅子では、スピーカから出た音を第２の反射体に反射させることで視聴者から離れた位置に仮想音源を作ることができる。そのため、より広がり感があるリアルなサウンドを楽しむことができる。【００２０】
通常、第１の反射体はスピーカ組み込み椅子の正面に設置されると考えられる。そのため、請求項５記載のスピーカ組み込み椅子では、センタースピーカを幅方向中央部に正面に向けて設置したので、センタースピーカを他の位置に設けた場合に比べて、センタースピーカの音を椅子に座っている視聴者に向けて最も多く反射させることができる。そのため、センタースピーカの音を効率良く聴きとることができる。【００２１】
また、請求項６記載のスピーカ組み込み椅子では、センタースピーカの音に加えて、左右のフロントスピーカの音も第１の反射体に反射させて反射音を聴き取ることができるので、左右のフロントスピーカの仮想音源を遠くに作ることができる。【００２２】
また、請求項７記載のスピーカ組み込み椅子では、第２の反射体による反射音を拡散することができるので、反射音が良く聞こえる場所を広げることができる。【００２３】
また、請求項８記載のスピーカ組み込み椅子では、サブウーハの音に合わせて着座者に向けて風を当てることができる。そのため、着座者がより大きな臨場感を得ることができる。【００２４】
また、請求項９記載のスピーカ組み込み椅子では、全てのスピーカを脚部に纏めることができるので、製造を容易なものにすることができる。【００２５】
また、請求項１０記載のスピーカ組み込み椅子では、スピーカボックスと椅子本体とを別々に製造して組み合わせることで、スピーカ組み込み椅子の製造が可能になるので、より一層製造を容易なものにすることができる。【００２６】
さらに、請求項１１記載のスピーカ組み込み椅子では、椅子本体の幅に応じて左右のスピーカボックスの間隔を調整することで、幅の異なる椅子本体に対応することができる。
【図面の簡単な説明】
【００２７】
【図１】本発明のスピーカ組み込み椅子の第１の実施形態を示す斜視図である。
【図２】センタースピーカの断面図である。
【図３】向き調節装置の正面図である。
【図４】図３のIV−IV線に沿う向き調節装置の断面図である。
【図５】サラウンドスピーカの取付状態を示す断面図である。
【図６】本発明のスピーカ組み込み椅子の実施形態の一例を示す斜視図である。
【図７】本発明のスピーカ組み込み椅子の第２の実施形態を示す正面図である。
【図８】同スピーカ組み込み椅子の平面図である。
【図９】同スピーカ組み込み椅子のシートクッション及び背もたれクッションを外した状態の平面図である。
【図１０】図８のＸ−Ｘ線に沿うスピーカ組み込み椅子の断面図である。
【図１１】同スピーカ組み込み椅子の各チャンネルの信号を処理する回路のブロック図である。
【図１２】同スピーカ組み込み椅子の第２の反射体を示し（Ａ）は平面図、（Ｂ）は正面図である。
【図１３】本発明のスピーカ組み込み椅子の第３の実施形態を示す斜視図である。
【図１４】本発明のスピーカ組み込み椅子の第４の実施形態を示し、左右のスピーカボックスの間隔を広げた状態の斜視図である。
【図１５】同スピーカ組み込み椅子を示し、左右のスピーカボックスの間隔を狭めた状態の斜視図である。
【図１６】第２の反射体に拡散面を設けた場合の効果を確認するための実験結果を示し、マイクを中央測定位置に設置した場合の測定結果を示すグラフである。
【図１７】第２の反射体に拡散面を設けた場合の効果を確認するための実験結果を示し、マイクを左測定位置に設置した場合の測定結果を示すグラフである。
【図１８】第２の反射体に拡散面を設けた場合の効果を確認するための実験において、マイクを設置した位置を説明するための椅子の平面図である。
【図１９】第２の反射体に拡散面を設けた場合の効果を確認するための実験に使用した第２の反射体を示す平面図である。
【符号の説明】
【００２８】
１  映像表示装置
２  センタースピーカ
３  フロントスピーカ
４  サラウンドスピーカ
５  サブウーファ
６  第１の反射体
９  向き調節装置
２２  光学式照準器
２４  第２の反射体
２８  仮想音源
【発明を実施するための最良の形態】
【００２９】
以下、本発明の構成を図面に示す最良の形態に基づいて詳細に説明する。【００３０】
図１に、本発明のスピーカ組み込み椅子の第１の実施形態を示す。スピーカ組み込み椅子は、映像表示装置１に向かい合わせに配置され、前方からの音を再現するセンタースピーカ２を含むマルチチャンネルスピーカシステムの各スピーカが組み込まれている。本実施形態では、マルチチャンネルスピーカシステムとして、５．１チャンネルサラウンドシステムを採用している。したがって、センタースピーカ２と、左右のフロントスピーカ３と、左右のサラウンドスピーカ４と、サブウーファスピーカ５が椅子に組み込まれている。ただし、採用できるマルチチャンネルスピーカシステムとしては、５．１チャンネルサラウンドシステムに限るものではなく、例えば６．１チャンネルサラウンドシステムでも良く、前方からの音を再現するセンタースピーカ２を有するものであればその他のチャンネル数のシステムでも良い。【００３１】
椅子は、例えばソファである。ソファとしては、複数人が一度に座ることが可能なものでも、一人用のものでも良い。ただし、適用可能な椅子としては、ソファに限るものではなく、例えば安楽椅子でも良く、その他の椅子でも良い。椅子は、映像を映し出すディスプレイ、スクリーン等の映像表示装置１に向かい合わせに配置されている。【００３２】
センタースピーカ２は、前方に設置された第１の反射体６に音を反射させて前方に仮想音源２８を作り出すものである。本実施形態では２つのセンタースピーカ２を使用して前方に１つの仮想音源２８を作るようにしている。２つのセンタースピーカ２は、例えば椅子の左右の肘掛け７の前面に組み込まれている。ただし、センタースピーカ２の組み込み位置は肘掛け７の前面に限るものではなく、前方に向けて音を出すことができる位置であれば特に制限されない。例えば、座部の前面等にも組み込んでも良く、また、脚部がセンタースピーカ２を組み込むことが可能なものであれば脚部の前面に組み込んでも良い。また、センタースピーカ２の数は２つに限るものではなく、１つ、場合によって３つ以上でも良い。なお、センタースピーカ２を１つのスピーカで構成する場合には、左右いずれか一方の肘掛け７の前面、又は座部２３の前面中央に組み込むことができる。なお、５．１チャンネルではセンタースピーカ２は１チャンネルを分担するので、センタースピーカ２を複数設ける場合には各センタースピーカ２によって同じ音を出すようにする。【００３３】
センタースピーカ２として、単指向性スピーカを使用する。本実施形態では、図２に示すように、振動板２ａの前方に吸音性のある筒状のダクト８を取り付けることでセンタースピーカ２の指向性を単指向性にしている。ただし、センタースピーカ２の指向性を単指向性にする手段としてはこれに限るものではない。【００３４】
椅子の肘掛け７とセンタースピーカ２の間には、センタースピーカ２の向きを可変にする向き調節装置９が設けられている。向き調節装置９の例を図３及び図４に示す。向き調節装置９は、センタースピーカ２の向きを左右方向及び上下方向に変化させるものであり、例えば左右方向調節機構１０と上下方向調節機構１１より構成されている。左右方向調節機構１０は、例えば椅子に固定されたベース１２と、ベース１２に対して垂直軸１３まわりに旋回可能に取り付けられた旋回板１４と、旋回板１４を旋回させるアクチュエータ１５より構成されている。アクチュエータ１５は例えば電動モータ（以下、旋回駆動用モータ１５という）である。旋回駆動用モータ１５の出力軸にはウォームギア１６が取り付けられており、このウォームギア１６は旋回板１４に形成されたギア部１４ａに噛み合っている。したがって、旋回駆動用モータ１５の回転は減速されて旋回板１４に伝えられる。旋回駆動用モータ１５の回転方向を切り換えることで、旋回板１４を右方向又は左方向に旋回させることができる。なお、向き調節装置９としては、センタースピーカ２の向きを左右方向と上下方向の両方に調節可能とするものに限るものではなく、左右方向と上下方向のいずれか一方のみに調節可能とするものであっても良い。【００３５】
上下方向調節機構１１は、例えば旋回板１４に固定された支持体１７と、支持体１７に対して水平軸１８まわりに回転可能に取り付けられたホルダ１９と、ホルダ１９を回転させて傾きを変えるアクチュエータ２０より構成されている。アクチュエータ２０は例えば電動モータ（以下、上下駆動用モータ２０という）である。上下駆動用モータ２０の出力軸にはウォームギア２１が取り付けられており、このウォームギア２１はホルダ１９に形成されたギア部１９ａに噛み合っている。したがって、上下駆動用モータ２０の回転は減速されてホルダ１９に伝えられる。上下駆動用モータ２０の回転方向を切り換えることで、ホルダ１９を上方向又は下方向に回転させて傾きを変えることができる。【００３６】
各モータ１５，２０の図示しない操作スイッチは、例えば肘掛け７の上面に設けられている。１つの操作スイッチで旋回駆動用モータ１５と上下駆動用モータ２０の両方を操作するようにしても良いし、それぞれ別々の操作スイッチを使用して旋回駆動用モータ１５と上下駆動用モータ２０とを別々に操作するようにしても良い。【００３７】
また、左右のセンタースピーカ２の向き調節装置９（以下、左右の向き調節装置９という）の各モータ１５，２０を左右共通の操作スイッチによって操作するようにしても良いし、左右の向き調節装置９毎に専用の操作スイッチを設けて左右別々に操作するようにしても良い。また、共通の操作スイッチによって左右の向き調節装置９の各モータ１５，２０を同時に操作する場合には、左右の向き調節装置９が左右対称に動くようにし、椅子の幅方向中央部の正面に仮想音源２８が常に作られるようにしても良い。【００３８】
本実施形態では、センタースピーカ２が音を出す方向に照準光線を照射する光学式照準器２２を備えている。光学式照準器２２としては、例えば照準光線としてレーザ光線を照射するレーザポインタ、レンズを使用して可視光線の進む方向を揃えて照準光線として照射する照準器等の使用が可能である。光学式照準器２２は、音の出る方向と照準光線の照射方向とを正確に一致させた状態でセンタースピーカ２の先端部に取り付けられている。本実施形態では、光学式照準器２２をダクト８の先端部に固定している。光学式照準器２２の照射スイッチは、例えば向き調節装置９の操作スイッチの近傍に設けられている。ただし、照射スイッチを設けずに、向き調節装置９の操作スイッチのオンオフ操作に連動して照準光線を照射・照射停止するようにしても良い。光学式照準器２２を備えることで、センタースピーカ２の向きを視覚的に確認することができ、センタースピーカ２の向き合わせを容易なものにすることができる。【００３９】
第１の反射体６は、映像表示装置１の表示面である。映像表示装置１として、音を反射するディスプレイ、スクリーン等の使用が可能である。ただし、これらに限るものではなく、音を反射するものであればその他の映像表示装置１でも良い。【００４０】
左右のフロントスピーカ３は、例えば左右の肘掛け７の前部上面に上向きで組み込まれている。左右のサラウンドスピーカ４は、例えば背もたれの左右両端部の上面に組み込まれている。サブウーファスピーカ５は、例えば左側の肘掛け７の中央部の内側面に内向きで組み込まれている。【００４１】
ここで、センタースピーカ２以外のスピーカ３〜５のうち、少なくとも１つのスピーカを着座者（視聴者）に向かう方向とは異なる方向に向けて組み込むと共に、当該スピーカから出た音を着座者に向けて反射させる第２の反射体２４を備えるようにしても良い。本実施形態では、左右のサラウンドスピーカ４を着座者に向かう方向とは異なる方向に向けて組み込み、左右のサラウンドスピーカ４から出た音を第２の反射体２４に当てて着座位置に向けて反射させるようにしている。例えば、背もたれ２５の上面に椅子の幅方向に細長い凹部２６を形成し、凹部２６の両端部に左右のサラウンドスピーカ４を組み込んでいる。図５に示すように、凹部２６は斜め後方に向けて開口しており、左右のサラウンドスピーカ４も斜め後方に向けて組み込まれている。第２の反射体２４は凹部２６を塞ぐ蓋板としても機能し、その後側縁が図示しないヒンジによって背もたれ２５の上面に取り付けられている。第２の反射体２４は左右のサラウンドスピーカ４を使用する場合に開けられる。そして、図１に２点鎖線で示すように、第２の反射体２４を所定の位置まで開けると、図示しない係止手段が第２の反射体２４を係止し、第２の反射体２４を前方に傾斜した状態で止める。これにより、左右のサラウンドスピーカ４が露出する。一方、第２の反射体２４を閉じる場合には、係止手段を外して第２の反射体２４を倒せばよい。第２の反射体２４を倒すことで凹部２６が塞がれる。【００４２】
左右のサラウンドスピーカ４から出た音は、第２の反射体２４で着座者に向けて反射される。着座者は反射音を聞くので、その音源が実際のサラウンドスピーカ４の位置よりも遠くにあるように感じる。凹部２６に蓋をすることで、サラウンドスピーカ４の不使用時には凹部２６を隠し、見栄えを良くすることができる。【００４３】
センタースピーカ２から前方に向けて出た音は第１の反射体６で反射し、着座者に向けて戻ってくる。反射してきた音を聴いた着座者は前方に音源があると錯覚する。即ち、センタースピーカ２が再現する音の仮想音源２８を前方に作ることができので、例えば映像の登場人物が話す台詞が映像表示装置の方向から聞えるようになる。そのため、映像と異なる方向からセンタースピーカ２の音が聞こえてくることに起因した違和感の発生を防止することができる。また、違和感の発生を防止できるのでセンタースピーカ２を椅子に組み込むことが可能になり、全てのスピーカ２〜５を組み込んだ所謂オールインワン方式の椅子を実現することができる。このように、マルチチャンネルスピーカシステムの全スピーカ２〜５の椅子への組み込みと、センタースピーカ２が再現する音の自然な聞こえ方とを両立することができる。また、スピーカをオールインワン方式にすることで、スピーカを別個に設ける場合のような配線や施工の煩わしさを解消することができると共に、引っ越しやレイアウト変更等による場所の移動を容易にすることができる。【００４４】
また、左右のサラウンドスピーカ４から出た音は第２の反射体２４で反射し、椅子に座っている視聴者に向けて戻ってくる。反射してきた音を聴いた視聴者は実際のサラウンドスピーカ４の位置よりも遠くに音源があると錯覚する。そのため、より広がり感があるリアルなサウンドを楽しむことができる。【００４５】
また、着座者は左右のフロントスピーカ３から出た音、サブウーファスピーカ５から出た音を聴く。このように、各スピーカ２〜５によって５．１チャンネルサラウンドを再現することができる。そして、椅子に全ての各スピーカ２〜５を組み込むことで、着座者の周囲に音場を作ることができ、部屋全体に響くような大きな音を出さなくても迫力のあるサウンドを楽しむことができ、パーソナルシアターを実現することができる。【００４６】
本実施形態では、映像を映す映像表示装置１の表示面を利用してセンタースピーカ２が再現する音を反射させているので、映像表示装置１側に仮想音源２８を作り出すことができ、映像とその映像のセンタースピーカから出される音が聞こえてくる方向を一致させることができる。そのため、よりリアルに映像を楽しむことができる。また、専用の反射体をわざわざ別に準備する必要がなくなり、その分だけコストを安くすることができる。【００４７】
本発明のスピーカ組み込み椅子では、椅子にスピーカ２〜５を組み込むことで着座者の近くから音を出すことができるので、小さな音量で手軽に臨場感を得ることができる。また、着座者の近くから音を出すことができると共に、個々のスピーカの音量が小さくても満足できるため、室内外の他人に騒音で迷惑を掛けにくい。また、センタースピーカ２を含めて全てのスピーカを組み込んだオールインワン方式を実現できる。また、引っ越しやレイアウト変更等による場所移動を容易にすることができると共に、使い勝手を向上させることができる。さらに、部屋の中に配線をはわせたりスピーカを別個に置く必要がないので、室内をすっきりさせることができる。【００４８】
次に、本発明のスピーカ組み込み椅子の第２の実施形態を示す。なお、図１のスピーカ組み込み椅子の部材と同一の部材には同一の符号を付し、それらの詳しい説明は省略する。このスピーカ組み込み椅子では、例えば図７〜図１０に示すように、幅方向中央部に正面に向けてセンタースピーカ２が設置されている。また、本実施形態では、左右両側部に正面に向けて左右のフロントスピーカ３が設置されている。ただし、必ずしも左右のフロントスピーカ３を正面に向けて設置する必要はなく、左右のフロントスピーカ３を内側斜め前方に向けて設置しても良く、又は外側斜め前方に向けて設置しても良い。【００４９】
椅子は、例えばソファである。本実施形態のソファは３つのシート３１〜３３、即ち中央の固定シート３１と、固定シート３１の左右両側に設けられた可動式シート３２，３３を備えている。中央の固定シート３１は、上から見た形状が後部の幅よりも前部の幅の方が狭い台形形状を成しており、左右の可動式シート３２，３３及び左右の肘掛け部７は内向きに設けられている。左右の可動式シート３２，３３は前方に向けて引き出すことが可能である。背もたれ２５と後板３４との間の空間は左右一対のカバー３５，３５によって覆われており、カバー３５，３５の一部は切り欠かれている。後板３４の各カバー３５，３５の切り欠き３５ａに対向する位置には第２の反射体２４が切り欠き３５ａに蓋をするように開閉可能に取り付けられている。第２の反射体２４の内側面が反射面となっている。このソファは複数の棒状の脚３６によって支えられている。第１の反射体６は、椅子の幅走行中央部の正面に設けられている。【００５０】
本実施形態のスピーカシステムは５．１チャンネルサラウンドシステムであり、信号として、センター（Ｃ）、左右のフロント（ＦＲ，ＦＬ）、左右のサラウンド（ＳＲ，ＳＬ）、サブウーファ（ＳＷ）の６種類の信号が用いられている（図１１）。また、本実施形態では、センタースピーカ２として３つのスピーカを、左のフロントスピーカ３として６つのスピーカを、右のフロントスピーカ３として６つのスピーカを、左のサラウンドスピーカ４として４つのスピーカを、右のサラウンドスピーカ４として４つのスピーカを、サブウーファスピーカ５として２つのスピーカを備えている。これらのスピーカは例えば５つのスピーカボックス３７〜４１に分けて設置されている。【００５１】
３つのセンタースピーカ２と、１つの左のフロントスピーカ３と、１つの右のフロントスピーカ３は、フロント・センタースピーカボックス（以下、ＦＣスピーカボックスという）３７の前面に組み込まれている。ＦＣスピーカボックス３７は各スピーカをソファの正面に向けるようにして固定シート３１のシートベース３１ａの前面に設置されている。【００５２】
残り５つの左のフロントスピーカ３と、１つのサブウーファスピーカ５は、フロント・レフトスピーカボックス（以下、ＦＬスピーカボックスという）３８に組み込まれている。５つの左のフロントスピーカ３は、ＦＬスピーカボックス３８の前面に組み込まれている。また、サブウーファスピーカ５は、ＦＬスピーカボックス３８の底面に組み込まれている。ＦＬスピーカボックス３８は左のフロントスピーカ３をソファの正面に向けるようにして左側の肘掛け部７の前面に設置されている。【００５３】
残り５つの右のフロントスピーカ３と、残り１つのサブウーファスピーカ５は、フロント・ライトスピーカボックス（以下、ＦＲスピーカボックスという）３９に組み込まれている。５つの右のフロントスピーカ３は、ＦＲスピーカボックス３９の前面に組み込まれている。また、サブウーファスピーカ５は、ＦＲスピーカボックス３９の底面に組み込まれている。ＦＲスピーカボックス３９は右のフロントスピーカ３をソファの正面に向けるようにして右側の肘掛け部７の前面に設置されている。【００５４】
４つの左のサラウンドスピーカ４はリヤ・レフトスピーカボックス（以下、ＲＬスピーカボックスという）４０の斜め上方を向いた後面に組み込まれている。ＲＬスピーカボックス４０は、左側のカバー３５内の空間４２に収容され、左のサラウンドスピーカ４を切り欠き３５ａに対向させるようにして左側のカバー３５の裏面に固定されている。【００５５】
４つの右のサラウンドスピーカ４はリヤ・ライトスピーカボックス（以下、ＲＲスピーカボックスという）４１の斜め上方を向いた後面に組み込まれている。ＲＲスピーカボックス４１は、右側のカバー３５内の空間４２に収容され、右のサラウンドスピーカ４を切り欠き３５ａに対向させるようにして右側のカバー３５の裏面に固定されている。【００５６】
本実施形態では、ＳＷ信号の出力先として２つのサブウーファスピーカ５の他に、６つの振動子４３を備えている。振動子４３は、２つずつ３枚の振動板４４に取り付けられている。振動板４４は、固定シート３１のシートクッションの裏面と、左右の可動式シート３２，３３のシートクッションの裏面に振動可能な状態で取り付けられている。したがって、振動子４３の振動により振動板４４が振動し、各シート３１，３２，３３のシートクッションを振動させる。【００５７】
Ｃ信号は、音のボリューム調整可能なレベル回路４５、信号補正可能なイコライザ回路４６、他の信号とのタイミング調整可能な遅延回路４７を介してクロスオーバ回路４８に入力される。そして、周波数の高い音の信号は出力部（ＤＡ−４）４９からセンタースピーカ（ツイータ）２に接続されたアンプ５０に出力され、周波数の低い音の信号は出力部（ＤＡ−５）４９からセンタースピーカ（ウーファ）２に接続されたアンプ５０に出力される。クロスオーバ回路４８は、例えば周波数０Ｈｚ〜２０ｋＨｚの信号のうち、７．１ｋＨｚ以下の信号をウーファ側の出力部（ＤＡ−５）４９に、７．１よりも大きい信号をツイータ側の出力部（ＤＡ−４）４９に出力する。ただし、周波数の振り分けはこれに限るものではない。【００５８】
ＦＬ信号は、センター側の回路５１とフロント側の回路５２に入力される。センター側の回路５１への入力とフロント側の回路５２への入力は、例えば（センター側：フロント側）＝（１：４）の割合になっている。ただし、この割合に限るものではない。センター側の回路５１に入力されたＦＬ信号は、レベル回路４５→イコライザ回路４６→遅延回路４７を介して出力部４９からＦＣスピーカボックス３７の左のフロントスピーカ３に接続されたアンプ５０に出力される。また、フロント側の回路５２に入力されたＦＬ信号は、レベル回路４５→イコライザ回路４６→遅延回路４７を介してクロスオーバ回路４８に入力される。そして、周波数の高い音の信号は出力部（ＤＡ−１）４９からフロントスピーカ（ツイータ）３に接続されたアンプ５０に出力され、周波数の低い音の信号は出力部（ＤＡ−２）４９からセンタースピーカ（ウーファ）３に接続されたアンプ５０に出力される。クロスオーバ回路４８での周波数の振り分けはＣ信号のクロスオーバ回路４８と同じに設定されている。ただし、必ずしも同じ設定にする必要はなく、設定を変えても良い。【００５９】
ＦＲ信号は、センター側の回路５１とフロント側の回路５２に入力される。センター側の回路５１への入力とフロント側の回路５２への入力は、例えば（センター側：フロント側）＝（１：４）の割合になっている。ただし、この割合に限るものではない。センター側の回路５１に入力されたＦＲ信号は、レベル回路４５→イコライザ回路４６→遅延回路４７を介して出力部（ＤＡ−８）４９からＦＣスピーカボックス３７の右のフロントスピーカ３に接続されたアンプ５０に出力される。また、フロント側の回路５２に入力されたＦＲ信号は、レベル回路４５→イコライザ回路４６→遅延回路４７を介してクロスオーバ回路４８に入力される。そして、周波数の高い音の信号は出力部（ＤＡ−６）４９からフロントスピーカ（ツイータ）３に接続されたアンプ５０に出力され、周波数の低い音の信号は出力部（ＤＡ−７）４９からセンタースピーカ（ウーファ）３に接続されたアンプ５０に出力される。クロスオーバ回路４８での周波数の振り分けはＣ信号のクロスオーバ回路４８と同じに設定されている。ただし、必ずしも同じ設定にする必要はなく、設定を変えても良い。【００６０】
左右のフロントスピーカ３をＦＣスピーカボックス３７にも設け、ＦＬ信号及びＦＲ信号の音をソファの幅方向中央部からも出すことで、第１の反射体６からの反射音を増やすことができる。即ち、左右のフロントスピーカ３をソファの左右両側部のみから出す場合には、第１の反射体６からの反射音が不足する場合もあり得るが、ソファの左右両側部に加えて幅方向中央部からも出すことで、第１の反射体６からの反射音を増やすことができる。ただし、ソファの左右両側部に設けたフロントスピーカ３の反射音で十分な場合には、ソファの幅方向中央部にフロントスピーカ３を設けなくても良い。【００６１】
ＳＬ信号は、レベル回路４５→イコライザ回路４６→遅延回路４７を介してコンプレッサ回路５３に入力される。コンプレッサ回路５３は、入力される信号が予め設定された値を超えて大きくなるのを防ぐものである。コンプレッサ回路５３からの出力は、左のサラウンドスピーカ４に接続されたアンプ５０に入力される。【００６２】
ＳＲ信号は、レベル回路４５→イコライザ回路４６→遅延回路４７→コンプレッサ回路５３を介して右のサラウンドスピーカ４に接続されたアンプ５０に入力される。【００６３】
ＳＷ信号は、スピーカ側の回路５４と振動子側の回路５５に入力される。スピーカ側の回路５４に入力されたＳＷ信号は、レベル回路４５→イコライザ回路４６→ローパスフィルタ５６→遅延回路４７を介して、出力部（ＡＮ−１）４９からＦＬスピーカボックス３８のウーファスピーカ５に接続されたアンプ５０に出力され、出力部（ＡＮ−２）４９からＦＲスピーカボックス３９のウーファスピーカ５に接続されたアンプ５０に出力される。また、振動子側の回路５５に入力されたＳＷ信号は、レベル回路４５→ローパスフィルタ５６→コンプレッサ回路５３→イコライザ回路４６→遅延回路４７を介して、出力部（ＡＮ−４）４９から左の可動式シート３２に取り付けられた振動板４４の振動子４３に接続されたアンプ５０に出力され、出力部（ＡＮ−３）４９から固定シート３１に取り付けられた振動板４４の振動子４３に接続されたアンプ５０に出力され、出力部（ＡＮ−５）４９から右の可動式シート３３に取り付けられた振動板４４の振動子４３に接続されたアンプ５０に出力される。【００６４】
本実施形態では、第２の反射体２４の反射面に不規則な形状の凹凸が連続形成された拡散面２４ａが設けられている。拡散面２４ａの一例を、図１２に示す。本実施形態では、椅子の幅方向に凹凸が形成されており、その凹凸を上下方向に連続させている。ただし、これに限るものではなく、椅子の幅方向と高さ方向の両方向に凹凸となるようにしても良く、あるいは斜めに凹凸になるようにしても良い。ここで、不規則な形状の凹凸が連続するとは、高さ及び傾斜角度が異なる凹凸が隣接していることをいう。第２の反射体２４は、木、金属等の音を吸収しにくい材料で形成されることが好ましい。第２の反射体２４の反射面を拡散面２４ａにすることで、サラウンドスピーカ４から出た音が着座者に向けて乱反射され、反射音がよく聞こえる場所を広げることができる。【００６５】
また、ソファの肘掛け部７の内側面７ａには、サブウーファスピーカ５の振動板の裏の空間に通じ且つ着座者に向けて開口する開口部５８を設けている。本実施形態では、左右両側の肘掛け部７の内側面７ａに開口部５８を設けている。ただし、必ずしも左右両側の肘掛け部７に開口部５８を設ける必要はなく、いずれか一方にのみ設けても良く、あるいは開口部５８を設けなくても良い。また、開口部５８を設ける位置は肘掛け部７の内側面７ａに限るものではなく、着座者に向けて開口する位置であれば他の位置に開口部５８を設けても良い。開口部５８を設けることで、サブウーファスピーカ５の振動板の振動によって当該振動板の裏の空間の空気が振動すると、開口部５８から着座者に向かう風を発生させることができる。したがって、サブウーファスピーカ５の音に合わせて着座者に風を当てることができる。【００６６】
本実施形態のソファでは、センタースピーカ２を椅子の幅方向中央部に正面に向けて設置しているので、正面に設けられた第１の反射体６の反射音を増やすことができる。そのため、センタースピーカ２の音を効率良く聴き取ることができる。【００６７】
また、本実施形態のソファでは、センタースピーカ２に加えて、フロントスピーカ３も正面に向けて設置しているので、フロントスピーカ３から出た音を第１の反射体６又はその周囲の壁５７で反射させて着座者に向けて戻すことができる。反射してきた音を聴いた着座者は前方に音源があると錯覚する。即ち、センタースピーカ２が再現する音の仮想音源２８と同様に、フロントスピーカ３が再現する音の仮想音源も着座者から離れた位置に作ることができ、着座者の近くから音が聞える場合のような違和感の発生を抑えることができる。【００６８】
また、本実施形態では、各信号の回路に遅延回路４７を設けているので、各スピーカの音の出射タイミングを調整することができる。各スピーカの音の出射タイミングを調整することで、各スピーカの音が着座者に到達するまでの時間の相違に起因した着座者への到達タイミングのずれを解消することができる。【００６９】
なお、本実施形態では、各チャンネルの音を別々のスピーカから出すようにしているが、異なるチャンネルの音をミックスして同一のスピーカから出すようにしても良い。例えば、ＦＬ信号の一部をＦＲ信号を再生するフロントスピーカ３に出力し、右の音に左の音をミックスして右のサラウンドスピーカ４から出力すると共に、ＦＲ信号の一部をＦＬ信号を再生するフロントスピーカ３に出力し、左の音に右の音をミックスして左のサラウンドスピーカ４から出力するようにしても良い。【００７０】
次に、本発明のスピーカ組み込み椅子の第３の実施形態を示す。なお、上述のスピーカ組み込み椅子の部材と同一の部材には同一の符号を付し、それらの詳しい説明は省略する。図１３に示すスピーカ組み込み椅子は、スピーカシステムの全てのスピーカを脚部５９に設けている。本実施形態では、全てのスピーカを椅子本体６０と別体に設けられた単一のスピーカボックス６１に組み込み、このスピーカボックス６１を椅子の脚部５９としている。本実施形態では、５．１チャンネルのサラウンドシステムに更に左右のサラウンドバックスピーカ６２を加えた７．１チャンネルのサラウンドシステムを採用している。ただし、採用できるマルチチャンネルスピーカシステムとしては、７．１チャンネルサラウンドシステムに限るものではなく、例えば５．１チャンネルサラウンドシステム、６．１チャンネルサラウンドシステム等でも良く、センタースピーカ２を有するものであればその他のチャンネル数のシステムでも良い。【００７１】
センタースピーカ２と左右のフロントスピーカ３はスピーカボックス６１の前面に、左右のサラウンドスピーカ４はスピーカボックス６１の後部両側面に、左右のサラウンドバックスピーカ６２はスピーカボックス６１の後面に、サブウーファスピーカ５はスピーカボックス６１の底面にそれぞれ設けられている。【００７２】
スピーカボックス６１は、椅子本体６０を安定的に支持することができる大きさ、強度に形成されている。スピーカボックス６１は例えば床の上に置かれ、その上には椅子本体６０が載せられる。つまり、スピーカボックス６１が椅子の脚部５９を構成し、スピーカボックス６１の上に少なくともシートを有する椅子本体６０を載せることで、マルチチャンネルスピーカシステムのスピーカを組み込んだ椅子を構成することができる。椅子本体６０をスピーカボックス６１に固定するようにしても良いが、場合によってはスピーカボックス６１を椅子本体６０に固定せずに単に載せるだけでも良い。【００７３】
スピーカボックス６１をシート３１や肘掛け部７に組み込む場合に比べて、構造が簡単になり、製造コストを低減することができる。また、上に載せる椅子本体６０を変えることで、スピーカ組み込み椅子の種類を変えることができ、椅子のバリエーションを増やすのに適している。さらに、スピーカボックス６１を、スピーカを組み込んでいない通常の脚に交換することで、スピーカを組み込んでいない通常の椅子にすることができる。また、全てのスピーカを単一のスピーカボックス６１に組み込んでいるので、取り扱いや移動に便利である。【００７４】
なお、本実施形態では、脚部５９を椅子本体６０と別体に設けられたスピーカボックス６１を利用して構成していたが、必ずしもスピーカボックス６１を利用する必要はなく、椅子本体６０に箱状の脚部５９を取り付け、この箱状の脚部５９に各スピーカを組み込むようにしても良い。この場合にも、スピーカを脚部５９に纏めて組み込むことができるので、製造が容易になる。【００７５】
次に、本発明のスピーカ組み込み椅子の第４の実施形態を示す。なお、上述のスピーカ組み込み椅子の部材と同一の部材には同一の符号を付し、それらの詳しい説明は省略する。第３の実施形態では、単一のスピーカボックス６１によって脚部５９を構成していたが、本実施形態では、図１４及び図１５に示すように、椅子本体６０と別体に設けた左右一対のスピーカボックス６１，６１によって脚部５９を構成している。【００７６】
本実施形態でも、７．１チャンネルのサラウンドシステムを採用しているが、採用できるマルチチャンネルスピーカシステムとしては、７．１チャンネルサラウンドシステムに限るものではなく、例えば５．１チャンネルサラウンドシステム、６．１チャンネルサラウンドシステム等でも良く、センタースピーカ２を有するものであればその他のチャンネル数のシステムでも良い。【００７７】
第３の実施形態では、センタースピーカ２とサブウーファスピーカ５は１つであったが、本実施形態では、センタースピーカ２とサブウーファスピーカ５を２つずつ備えている。左側のチャンネルのスピーカは左側のスピーカボックス６１に、右側のチャンネルのスピーカは右側のスピーカボックス６１にそれぞれ組み込まれている。左のセンタースピーカ２と、左のフロントスピーカ３は左側のスピーカボックス６１の前面に、左のサラウンドスピーカ４は左側のスピーカボックス６１の後部左側面に、左のサラウンドバックスピーカは左側のスピーカボックス６１の後面に、左のサブウーファスピーカ５は左側のスピーカボックス６１の底面にそれぞれ設けられている。また、右のサラウンドスピーカ４は右側のスピーカボックス６１の後部右側面に、右のサラウンドバックスピーカは右側のスピーカボックス６１の後面に、右のサブウーファスピーカ５は右側のスピーカボックス６１の底面にそれぞれ設けられている。【００７８】
左右のスピーカボックス６１は、左右一対で椅子本体６０を安定的に支持することができる大きさ、強度に形成されている。左右のスピーカボックス６１は例えば床の上に置かれ、それらの上には椅子本体６０が載せられる。椅子本体６０を左右のスピーカボックス６１に固定するようにしても良いが、場合によっては左右のスピーカボックス６１を椅子本体６０に固定せずに単に載せるだけでも良い。【００７９】
左右のスピーカボックス６１の間隔は、上に載せる椅子本体６０の幅に応じて調節される。つまり、図１４のように幅が広い椅子本体６０を載せる場合には左右のスピーカボックス６１の間隔を広げ、図１５のように幅が狭い椅子本体６０を載せる場合には左右のスピーカボックス６１の間隔を狭くする。このように、左右のスピーカボックス６１の間隔を調節することで、椅子本体６０の幅の変化に対応することができ、椅子本体６０を幅の異なるものに交換する場合に便利である。【００８０】
本実施形態のスピーカ組み込み椅子でも、第３の実施形態のスピーカ組み込み椅子と同様に、スピーカボックス６１をシート３１や肘掛け部７に組み込む場合に比べて、構造が簡単になり、製造コストを低減することができる。また、上に載せる椅子本体６０を変えることで、スピーカ組み込み椅子の種類を変えることができ、椅子のバリエーションを増やすのに適している。さらに、スピーカボックス６１を、スピーカを組み込んでいない通常の脚に交換することで、スピーカを組み込んでいない通常の椅子にすることができる。【００８１】
なお、上述の形態は本発明の好適な形態の一例ではあるがこれに限定されるものではなく本発明の要旨を逸脱しない範囲において種々変形実施可能である。例えば、上述の説明では、第２の反射体２４を背もたれ２５に設け、サラウンドスピーカ４から出た音を背もたれ２５の第２の反射体２４によって反射させるようにしていたが、これに代え又はこれに加えて、第２の反射体２４を例えば肘掛け７に設け、フロントスピーカ３とサブウーファスピーカ５のいずれか一方、あるいはフロントスピーカ３とサブウーファスピーカ５の両方を肘掛け７に設けた第２の反射体２４によって反射させるようにしても良い。【００８２】
また、フロントスピーカ３、サラウンドスピーカ４、サブウーファスピーカ５のいずれにも第２の反射体２４を設けずに着座者に向けた状態で椅子に取り付けても良い。【００８３】
また、上述の説明では第２の反射体２４を開閉可能にしていたが、第２の反射体２４を開閉可能にせずに開状態で固定にしても良い。【００８４】
また、上述の説明では、左右のサラウンドスピーカ４から出た音を１枚の第２の反射体２４によって反射させるようにしていたが、左右のサラウンドスピーカ４毎に専用の第２の反射体２４を設け、それぞれ別々の第２の反射体２４を使用して音を反射させるようにしても良い。【００８５】
また、上述の説明では、センタースピーカ２に光学式照準器２２を設けていたが、光学式照準器２２を省略しても良い。【００８６】
また、上述の説明では、向き調節装置９のアクチュエータ１５，２０として電動モータを使用していたが、電動モータに限るものではなく、例えば左右方向調節機構１０，上下方向調節機構１１をそれぞれ２位置切り換えタイプにする場合等にはアクチュエータ１５，２０としてソレノイドコイルとリターンスプリングの組み合わせ等を使用しても良い。【００８７】
また、上述の説明では、向き調節装置９がアクチュエータ１５，２０を備えており、アクチュエータ１５，２０の動力を使用してセンタースピーカ２の向きを調節するようにしていたが、センタースピーカ２の向きを手動で調節するようにしても良い。【００８８】
また、上述の説明では、向き調節装置９を設けてセンタースピーカ２の向きを調節可能にしていたが、向き調節装置９を省略し、センタースピーカ２の向きを固定にしても良い。この場合は、第１の反射体６との位置関係が所定の位置関係となるのように椅子と第１の反射体６とを設置することが望ましい。【００８９】
また、上述の説明では、第１の反射体６として映像表示装置１の表示面を利用していたが、映像表示装置１の表示面とは別に専用のリフレクタを設けても良い。専用のリフレクタを設けことで、表示面による音の吸収が顕著な場合であってもセンタースピーカ２から出た音を着座者に向けて反射させることができる。なお、専用のリフレクタを設ける場合には、そのリフレクタを映像表示装置１の表示面の近傍に配置することが好ましい。【００９０】
図６に、６．１チャンネルサラウンドシステムに適用した例を示す。６．１チャンネルサラウンドシステムではリアスピーカ２７が追加されている。リアスピーカ２７は、例えば背もたれ２５の上面の中央に組み込まれている。この例では、背もたれ２５の上面の左右両端部分と中央部分の３箇所にそれぞれ凹部を設け、各凹部内に左右のサラウンドスピーカ４とリアスピーカ２７を組み込むと共に、各スピーカ４，４，２７毎に専用の第２の反射体２４を設けている。サラウンドスピーカ４から出た音と同様、リアスピーカ２７から出た音は第２の反射体２４によって着座者に向けて反射される。
【実施例１】
【００９１】
本発明の第２の反射体２４の反射面に拡散面２４ａを設けた場合の効果を確認する実験を行なった。実験に使用した椅子を図１８に、実験に使用した第２の反射体２４の拡散面２４ａの形状を図１９に示す。実験では、左のサラウンドスピーカ４と、これに対向する第２の反射体２４を使用して行なった。実験は、中央測定位置６３にマイクを設置した場合と、左測定位置６４にマイクを設置した場合について行なった。中央測定位置６３は固定シート３１に視聴者が座った場合の耳の位置を想定したものであり、背もたれ２５の最上部よりも約２００ｍｍ高い位置である。左測定位置６４は左側の可動式シート３２に視聴者が座った場合の耳の位置を想定したものであり、背もたれ２５の最上部よりも約２００ｍｍ高い位置である。【００９２】
第２の反射体２４に６枚のベニヤ板を接着テープを使用して固定し、図１９に示すように３つの山からなる形状の拡散面２４ａを形成した。図１９において左に記載されている山の幅を２４０ｍｍ、高さを１５０ｍｍとし、中央に記載されている山の幅を１７０ｍｍ、高さを８０ｍｍとし、右に記載されている山の幅を２４０ｍｍ、高さを１２０ｍｍとした。使用したベニヤ板の厚さは５ｍｍであった。第２の反射体２４の長さを９００ｍｍとした。【００９３】
測定器から左のサラウンドスピーカ４に信号を送り、測定用の音を出した。第２の反射体２４の拡散面２４ａ又は椅子の周囲の壁によって反射された音をマイクでひろい、測定器で測定した。【００９４】
その結果を、図１６及び図１７に示す。第２の反射体２４の反射面に拡散面２４ａを設けた場合の結果を実線で、比較のために行なった第２の反射体２４の反射面を平らな面とした場合の結果を二点鎖線で示す。図１６は、マイクを中央測定位置６３に設置した場合の測定結果、図１７は、マイクを左測定位置６４に設置した場合の測定結果である。図１６，図１７の縦軸は音量、横軸は周波数である。図からも明らかなように、第２の反射体２４の反射面に拡散面２４ａを設けることで、測定した周波数全体でみると、左測定位置６４については音量が減少する傾向がみられ、中央測定位置６３については音量が増加する傾向がみられた。これらの結果、第２の反射体２４の反射面に拡散面２４ａを設けることで、反射音が特定の場所に集中することが抑制され、反射音が良く聞こえる場所が広がっていることが確認できた。
【図１】
2009113319.tif 000003
【図２】
2009113319.tif 000004
【図３】
2009113319.tif 000005
【図４】
2009113319.tif 000006
【図５】
2009113319.tif 000007
【図６】
2009113319.tif 000008
【図７】
2009113319.tif 000009
【図８】
2009113319.tif 000010
【図９】
2009113319.tif 000011
【図１０】
2009113319.tif 000012
【図１１】
2009113319.tif 000013
【図１２】
2009113319.tif 000014
【図１３】
2009113319.tif 000015
【図１４】
2009113319.tif 000016
【図１５】
2009113319.tif 000017
【図１６】
2009113319.tif 000018
【図１７】
2009113319.tif 000019
【図１８】
2009113319.tif 000020
【図１９】
2009113319.tif 000021
【国際調査報告】
2009113319.tif 000022
2009113319.tif 000023
2009113319.tif 000024
2009113319.tif 000025